(57)【要約】【課題】楽曲の再生に際し、ネットワークを介することなく簡便に歌詞を表示することができるようにする技術を提供する。【解決手段】楽曲データを記録媒体に記録する楽曲記録装置において、複数の記録媒体を接続するための複数の接続手段１４、１５と、楽曲データに基づき、対応する歌詞データを取得する取得手段１１、１６と、一の接続手段に接続された記録媒体２２に楽曲データを記録するに際し、他の接続手段に接続された記録媒体２２に対し、取得手段により取得された該楽曲データの歌詞データを、該一の接続手段に接続された記録媒体に関連付けて記録する歌詞記録手段１１、１２とを設ける。【選択図】図２
2009276430.tif 000002
【特許請求の範囲】
【請求項１】
楽曲データを記録媒体に記録する楽曲記録装置であって、
複数の記録媒体を接続するための複数の接続手段と、
楽曲データに基づき、対応する歌詞データを取得する取得手段と、
一の前記接続手段に接続された記録媒体に楽曲データを記録するに際し、他の前記接続手段に接続された記録媒体に対し、前記取得手段により取得された該楽曲データの歌詞データを、該一の接続手段に接続された記録媒体に関連付けて記録する歌詞記録手段とを具備することを特徴とする楽曲記録装置。
【請求項２】
前記歌詞データについての記録媒体への関連付けは、該記録媒体に記録する楽曲データと、該歌詞データとを対応付けることにより行われることを特徴とする請求項１に記載の楽曲記録装置。
【請求項３】
一の前記記録媒体において楽曲データ及び歌詞データが混在して記録されるのを防止する手段を有することを特徴とする請求項１又は２に記載の楽曲記録装置。
【請求項４】
記録媒体に記録されている楽曲データに基づいて楽曲を再生する楽曲再生装置であって、
複数の記録媒体を接続するための複数の接続手段と、
一の前記接続手段に接続された記録媒体に記録されている楽曲データに基づいて楽曲を再生するに際し、他の前記接続手段に接続された記録媒体に記録されている、該一の接続手段に接続された記録媒体に関連付けられている歌詞データに基づき、歌詞の表示を行う歌詞表示手段とを具備することを特徴とする楽曲再生装置。
【請求項５】
前記歌詞データについての記録媒体への関連付けは、該記録媒体に記録されている楽曲データと、該歌詞データとの対応付けによりなされており、
前記歌詞表示手段は、該歌詞データに基づく歌詞の表示を、該楽曲データに基づく楽曲の再生に同期させながら行うことを特徴とする請求項４に記載の楽曲再生装置。
【請求項６】
前記複数の接続手段は、同一規格の記録媒体を接続するためのものであることを特徴とする請求項１〜５のいずれか１項に記載の楽曲再生装置。
【請求項７】
請求項１〜６のいずれかの装置における各手段としてコンピュータを機能させることを特徴とするプログラム。
【請求項８】
複数の記録媒体を接続するための複数の接続手段と、
楽曲データに基づき、対応する歌詞データを取得する取得手段とを備え、
楽曲データを記録媒体に記録する楽曲記録装置における楽曲記録方法であって、
一の前記接続手段に接続された記録媒体に楽曲データを記録するに際し、他の前記接続手段に接続された記録媒体に対し、前記取得手段により取得された該楽曲データの歌詞データを、該一の接続手段に接続された記録媒体に関連付けて記録することを特徴とする楽曲記録方法。
【請求項９】
複数の記録媒体を接続するための複数の接続手段を備え、
記録媒体に記録されている楽曲データに基づいて楽曲を再生する楽曲再生装置における楽曲再生方法であって、
一の前記接続手段に接続された記録媒体に記録されている楽曲データに基づいて楽曲を再生するに際し、他の前記接続手段に接続された記録媒体に記録されている、該一の接続手段に接続された記録媒体に関連付けられている歌詞データに基づき、歌詞の表示を行うとを特徴とする楽曲再生方法。
【発明の詳細な説明】
【技術分野】
【０００１】
本発明は、楽曲データを記録媒体に記録する楽曲記録装置、記録媒体に記録されている楽曲データに基づいて楽曲を再生する楽曲再生装置、該楽曲記録装置又は楽曲再生装置における各手段としてコンピュータを機能させるプログラム、該楽曲記録装置における楽曲記録方法、及び該楽曲再生装置における楽曲再生方法に関する。
【背景技術】
【０００２】
従来、記録再生装置として、ＣＤをリッピングし、ＭＰ３等の楽曲データとして記録媒体に記録する際に、楽曲情報データベース、たとえばＣＤＤＢ（ＣＤデータベース：登録商標）から該ＣＤについての情報を取得し、楽曲データのメタデータとして併せて記録する機能を備えたものが普及している。このメタデータは、ＭＰ３データの場合にはＩＤ３タグと呼ばれている。たとえばＣＤＤＢはインターネット上のサーバ又は記録再生装置の内部メモリに記憶されており、グレースノート社やレインボーパートナー社により運営されている。
【０００３】
一方、記録再生装置として、記録媒体に記録されている楽曲を再生する際に、楽曲の歌詞情報をネットワーク上のデータベースサーバから取得し、再生状況に応じて表示するようにしたものも開示されている（たとえば、特許文献１参照）。
【０００４】
また近年、記録再生装置として、ＭＰ３等の圧縮された楽曲データを再生するポータブルプレイヤが普及しており、種類も多様化している。メモリカードスロットが付与されているものも多い。表示機能に関しては、表示部面積が小さく、楽曲名、アーティスト名、再生時間等を表示するものから、大きな表示部を有し、検索や再生対象の楽曲に関するジャケット写真や、動画にまで対応するものもある。
【０００５】
【特許文献１】特開２００５−０７０４７２号公報
【発明の開示】
【発明が解決しようとする課題】
【０００６】
しかしながら、上述の歌詞情報を表示する記録再生装置によれば、楽曲の再生とともにその楽曲の歌詞が表示されるが、その装置でリッピングした楽曲データを上記のようなポータブルプレイヤで再生する場合には、通常は歌詞情報を取得することができないので、歌詞を表示することができない。
【０００７】
本発明の目的は、このような従来技術の問題点に鑑み、楽曲の再生に際し、ネットワークを介することなく簡便に歌詞を表示することができるようにする技術を提供することにある。
【課題を解決するための手段】
【０００８】
この目的を達成するため、第１の発明に係る楽曲記録装置は、楽曲データを記録媒体に記録する楽曲記録装置であって、複数の記録媒体を接続するための複数の接続手段と、楽曲データに基づき、対応する歌詞データを取得する取得手段と、一の前記接続手段に接続された記録媒体に楽曲データを記録するに際し、他の前記接続手段に接続された記録媒体に対し、前記取得手段により取得された該楽曲データの歌詞データを、該一の接続手段に接続された記録媒体に関連付けて記録する歌詞記録手段とを具備することを特徴とする。
【０００９】
第２の発明に係る楽曲記録装置は、第１発明において、前記歌詞データについての記録媒体への関連付けは、該記録媒体に記録する楽曲データと、該歌詞データとを対応付けることにより行われることを特徴とする。
【００１０】
第３の発明に係る楽曲記録装置は、第１又は第２発明において、一の前記記録媒体において楽曲データ及び歌詞データが混在して記録されるのを防止する手段を有することを特徴とする。
【００１１】
第４の発明に係る楽曲再生装置は、記録媒体に記録されている楽曲データに基づいて楽曲を再生する楽曲再生装置であって、複数の記録媒体を接続するための複数の接続手段と、一の前記接続手段に接続された記録媒体に記録されている楽曲データに基づいて楽曲を再生するに際し、他の前記接続手段に接続された記録媒体に記録されている、該一の接続手段に接続された記録媒体に関連付けられている歌詞データに基づき、歌詞の表示を行う歌詞表示手段とを具備することを特徴とする。
【００１２】
第５の発明に係る楽曲再生装置は、第４発明において、前記歌詞データについての記録媒体への関連付けは、該記録媒体に記録されている楽曲データと、該歌詞データとの対応付けによりなされており、前記歌詞表示手段は、該歌詞データに基づく歌詞の表示を、該楽曲データに基づく楽曲の再生に同期させながら行うことを特徴とする。
【００１３】
第６の発明に係る装置は、第１〜第４のいずれかの装置において、前記複数の接続手段は、同一規格の記録媒体を接続するためのものであることを特徴とする。
【００１４】
第７の発明に係るプログラムは、第１〜第６のいずれかの装置における各手段としてコンピュータを機能させることを特徴とする。
【００１５】
第８の発明に係る楽曲記録方法は、複数の記録媒体を接続するための複数の接続手段と、楽曲データに基づき、対応する歌詞データを取得する取得手段とを備え、楽曲データを記録媒体に記録する楽曲記録装置における楽曲記録方法であって、一の前記接続手段に接続された記録媒体に楽曲データを記録するに際し、他の前記接続手段に接続された記録媒体に対し、前記取得手段により取得された該楽曲データの歌詞データを、該一の接続手段に接続された記録媒体に関連付けて記録することを特徴とする。
【００１６】
第９の発明に係る楽曲再生方法は、複数の記録媒体を接続するための複数の接続手段を備え、記録媒体に記録されている楽曲データに基づいて楽曲を再生する楽曲再生装置における楽曲再生方法であって、一の前記接続手段に接続された記録媒体に記録されている楽曲データに基づいて楽曲を再生するに際し、他の前記接続手段に接続された記録媒体に記録されている、該一の接続手段に接続された記録媒体に関連付けられている歌詞データに基づき、歌詞の表示を行うとを特徴とする。
【発明の効果】
【００１７】
本発明によれば、楽曲の記録に際して歌詞を同時に記録することができる。そして、楽曲の再生に際しては、記録した歌詞に基づき、簡便に歌詞を表示することができる。
【発明を実施するための最良の形態】
【００１８】
図１は、本発明の一実施形態に係る記録再生装置の構成を示すブロック図である。同図
に示すように、この装置は、装置各部の制御や必要な情報処理を行うシステムマイコン１１、システムマイコン１１の指示に基づき、入力される信号についてエンコード、デコード等の信号処理を施すデジタル・シグナル・プロセッサ（以下、「ＤＳＰ」という。）１２、システムマイコン１１の指示に基づき、ＣＤを再生して再生信号をＤＳＰ１２に供給するＣＤメカ部１３、ＤＳＰ１２に接続された２つのメモリカードスロット１４及び１５、システムマイコン１１の指示に基づき、外部との通信を行い、ＤＳＰ１２にダウンロードしたデータを供給する通信部１６、ＤＳＰ１２からのデジタルオーディオ信号をアナログ信号に変換するＤＡコンバータ１７、ＤＡコンバータ１７からのアナログオーディオ信号を増幅する増幅部１８、増幅部１８において増幅されたオーディオ信号をスピーカ等により音声に変換して出力する出力部１９、システムマイコン１１に対して指示を与える操作を行うための操作部２０、及びシステムマイコン１１がユーザに対して提示する情報を表示する表示部２１を備える。
【００１９】
システムマイコン１１は操作部２０を介して与えられる指示に応じ、ＣＤメカ部１３、ＤＳＰ１２等を制御し、ＣＤメカ部１３にセットされたＣＤ、メモリカードスロット１４や１５にセットされたメモリカード２２等から読み出した信号に基づく音声の出力を行うことができる。また、これらの信号に基づくメモリカード２２への記録を行うことができる。ＤＳＰ１２はその際に、ＣＤメカ部１３や、ＤＡＣ１７、メモリカードスロット１４又は１５等の間に介在し、これらの間で送受される信号についてのエンコードやデコード等の必要な信号変換処理を行う。
【００２０】
ＣＤからメモリカード２２へのリッピングを行う際には、システムマイコン１１は、ＣＤメカ部１３に対し、ＣＤの再生に関する指示を行う。これに応じ、ＣＤメカ部１３はＣＤの再生を行い、再生信号をＤＳＰ１２に供給する。ＤＳＰ１２はシステムマイコン１１の指示に応じ、供給される再生信号を、ＭＰ３等の楽曲データに変換し、メモリカード２２に記録する。このとき、システムマイコン１１は通信部１６を介し、リッピングを行うＣＤについてのメタデータや歌詞データを取得し、同時に記録することができる。
【００２１】
図２はＣＤからメモリカード２２へのリッピングを行うときの様子を示す。図中の２４は図１の記録再生装置、２５は記録再生装置２４が、その通信部１６を介して接続されたインターネット、２６及び２７はインターネット２５を介して記録再生装置２４がアクセスすることができる楽曲データベース（たとえばＣＤＤＢ）及び歌詞データベースである。歌詞データベース２７は所定の歌詞データ配信サービスサーバ等により提供される。楽曲データベース２６及び歌詞データベース２７は、同一のサービス提供者により一体として提供されるものであってもよい。
【００２２】
同図に示すように、記録再生装置２４にセットされる２枚のメモリカード２２に対し、リッピングデータとして、楽曲データの記録が行われる。その際、楽曲データベース２６及び歌詞データベース２７からＣＤに対応するメタデータや歌詞データが取得され、楽曲データとともにメモリカード２２に記録される。このとき、メモリカード２２がメモリカードスロット１４及び１５の双方にセットされている場合には、楽曲データはメタデータとともにメモリカードスロット１４にセットされたメモリカード２２に記録される。歌詞データはメモリカードスロット１５にセットされたメモリカード２２に記録される。このとき、歌詞データは楽曲データに対応付けられる。
【００２３】
この対応付けは、たとえば、楽曲データのファイル名やメタデータ中に、対応する歌詞データのファイル名を、所定のフォーマットに従って含めることにより、あるいはさらに該歌詞データが記録されるメモリカード２２のボリューム名を所定のフォーマットに従って含めることにより行うことができる。又は、楽曲データが記録されるメモリカード２２中に、そのメモリカード２２中に記録される楽曲データと、その歌詞データとの対応を記録するテーブルを設けるようにしてもよい。該テーブルの１つのレコードには、たとえば該テーブルが設けられたメモリカード２２に記録される１つの楽曲データのファイル名、対応する歌詞データのファイル名、あるいはさらに該歌詞データのファイルが記録されるメモリカード２２のボリューム名が記録される。
【００２４】
図３は図２のようにしてリッピングされた楽曲の再生を行うときの様子を示す。同図に示すように、リッピングにより楽曲データが記録されたメモリカード２２及び対応する歌詞データが記録されたメモリカード２２が記録再生装置２４にセットされる。楽曲データに基づく再生が開始されると、記録再生装置２４の表示部２１において、対応する歌詞データに基づき、再生中の楽曲の歌詞が表示される。
【００２５】
図４は図２のようにしてリッピングされた楽曲をポータブル再生装置で再生する様子を示す。このポータブル再生装置は同図に示すように、表示部４１、並びに図１のメモリカードスロット１４及び１５と同様の２つのメモリカードスロット４４及び４５を備える。また、図１の記録再生装置の場合と同様に、メモリカードスロット４４や４５にセットされたメモリカード２２に記録されている楽曲データに基づく楽曲の再生や、歌詞データに基づく歌詞の表示を行う機能を備える。したがってこのポータブル再生装置によれば、図４に示すように、楽曲データ及び対応する歌詞データがそれぞれに記録された２枚のメモリカード２２をカードスロット４４及び４５にセットして所定の指示を行うことにより、図３の場合と同様に、楽曲の再生を行うと同時に、再生中の楽曲の歌詞を表示させることができる。
【００２６】
図５は図１の装置におけるリッピング処理を示すフローチャートである。この処理においては、ＣＤメカ部１３においてセットされたＣＤからカードスロット１４又は１５にセットされたメモリカード２２に対してリッピングが行われる。リッピングを行う旨の指示に応じて処理を開始すると、システムマイコン１１はまず、ステップ５１において、１枚目のメモリカード２２がセットされているかどうかを判定する。メモリカードスロット１４又は１５のいずれかにメモリカード２２がセットされている場合に、１枚目のメモリカード２２がセットされていると判定する。
【００２７】
メモリカードスロット１４及び１５の双方にメモリカード２２がセットされている場合には、メモリカードスロット１４にセットされているメモリカード２２が１枚目のメモリカード２２とされ、メモリカードスロット１５にセットされているメモリカード２２が２枚目のメモリカード２２とされる。メモリカードスロット１４又は１５のいずれか一方にのみメモリカード２２がセットされている場合には、そのメモリカード２２が１枚目のメモリカード２２とされ、２枚目のメモリカード２２はセットされていないことになる。
【００２８】
ステップ５１において１枚目のメモリカード２２がセットされていないと判定した場合には、メモリカードスロット１４又は１５のうちの少なくとも一方にメモリカード２２がセットされるまで待機する。
【００２９】
１枚目のメモリカード２２がセットされていると判定した場合には、ステップ５２へ進み、メタデータの参照が可能か否かを判定する。メタデータの参照は、装置がインターネット２５に接続されており、かつＣＤメカ部１３にセットされているＣＤのＴＯＣ情報における演奏時間等に基づき、そのＣＤのメタデータを楽曲データベース２６から取得することができる場合に可能である。メタデータの参照が可能ではないと判定した場合にはステップ５３において、ＣＤからのリッピングを行い、リッピングデータとしての楽曲データを１枚目のメモリカード２２に記録し、図５の処理を終了する。
【００３０】
ステップ５２においてメタデータの参照が可能であると判定した場合には、ステップ５４へ進み、２枚目のメモリカード２２がセットされているかどうかを判定する。メモリカードスロット１４及び１５の双方にメモリカード２２がセットされている場合に、２枚目のメモリカード２２がセットされている旨の判定がなされ、メモリカードスロット１５にセっトされているメモリカード２２が２枚目のメモリカードとされる。２枚目のメモリカード２２がセットされてはいないと判定した場合には、ステップ５５において、ＣＤからのリッピングを行い、リッピングデータとしての楽曲データを、対応するメタデータとともに１枚目のメモリカード２２に記録し、図５の処理を終了する。
【００３１】
ステップ５４において２枚目のメモリカード２２がセットされていると判定した場合には、ステップ５６へ進み、リッピングするＣＤの歌詞データが参照可能であるか否かを判定する。歌詞データの参照は、装置がインターネット２５に接続されており、かつＣＤのＴＯＣ情報等に基づいて歌詞データベース２７から、そのＣＤの歌詞データをダウンロードすることができる場合に可能である。歌詞データの参照が可能ではないと判定した場合には、ステップ５５において、ＣＤからのリッピングを行い、リッピングデータとしての楽曲データを、対応するメタデータとともに１枚目のメモリカード２２に記録し、図５の処理を終了する。
【００３２】
ステップ５６において歌詞データの参照が可能であると判定した場合には、ステップ５７へ進み、ＣＤからのリッピングを行い、リッピングデータとしての楽曲データを、対応するメタデータとともに１枚目のメモリカード２２に記録する。またこれと同時に、対応する歌詞データを２枚目のメモリカード２２に記録する。その際、記録される楽曲データ及び歌詞データは対応付けがなされる。対応付けは上述のように、その楽曲データに対応する歌詞データが存在することを示すとともにその歌詞データを特定する情報を１枚目のメモリカード２２に記録することによって行われる。このような情報は、上述のように、該楽曲データのファイル名やメタデータの一部として、又はメモリカード２２に設けたテーブルにおいて記録することができる。楽曲データ及び歌詞データの記録を完了すると、図５の処理を終了する。
【００３３】
図６は図１の装置におけるメモリカード２２からの再生処理を示すフローチャートである。この処理においては、メモリカード２２に記録された楽曲データに基づく楽曲の再生や、歌詞データに基づく歌詞の表示が行われる。
【００３４】
処理を開始すると、まず、ステップ６１において、１枚目のメモリカード２２がセットされているかどうかを判定する。メモリカードスロット１４又は１５の少なくとも一方にメモリカード２２がセットされている場合には、１枚目のメモリカード２２がセットされている旨の判定がなされる。
【００３５】
メモリカードスロット１４及び１５の双方にメモリカード２２がセットされている場合には、メモリカードスロット１４にセットされているメモリカード２２が１枚目のメモリカード２２とされ、メモリカードスロット１５にセットされているメモリカード２２が２枚目のメモリカード２２とされる。メモリカードスロット１４又は１５のいずれか一方にのみメモリカード２２がセットされている場合には、そのメモリカード２２が１枚目のメモリカード２２とされ、２枚目のメモリカード２２はセットされていないことになる。
【００３６】
ステップ６１において１枚目のメモリカード２２がセットされていないと判定した場合には、メモリカードスロット１４又は１５の少なくとも一方にメモリカード２２がセットされるのを待機する。１枚目のメモリカード２２がセットされている旨の判定をした場合には、１枚目のメモリカード２２において楽曲データが記録されているかどうかを判定する。楽曲データが記録されていないと判定した場合には、楽曲データが記録された１枚目のメモリカード２２がセットされるまで待機する。
【００３７】
ステップ６２において１枚目のメモリカード２２に楽曲データが記録されていると判定した場合には、ステップ６３へ進み、その楽曲データに対して歌詞データが対応付けられているか否かを判定する。この判定は、上述図５のステップ５７における対応付けの方法に応じて行われる。すなわち、対応付けの方法に応じ、その楽曲データに対応する歌詞データが存在することを示すとともにその歌詞データを特定する情報が、１枚目のメモリカード２２において、その楽曲データのメタデータ又はファイル名中に所定の形式で、あるいはテーブルの１レコードにおいて記録されている場合には、歌詞データが対応付けられていると判定することができる。
【００３８】
ステップ６３において歌詞データが対応付けられてはいないと判定した場合には、ステップ６４へ進み、１枚目のメモリカード２２に記録されている楽曲データに基づいて楽曲の再生を行い、図６の処理を終了する。ステップ６３において歌詞データが対応付けられていると判定した場合には、ステップ６５において、２枚目のメモリカード２２がセットされているか否かを判定する。楽曲データが記録されている１枚目のメモリカード２２がメモリカードスロット１４にセットされており、かつもう１枚のメモリカード２２がメモリカードスロット１５にセットされてい場合に、２枚目のメモリカード２２がセットされている旨の判定がなされる。２枚目のメモリカード２２がセットされていない旨の判定をした場合には、ステップ６４へ進み、１枚目のメモリカード２２に記録されている楽曲データに基づいて楽曲の再生を行い、図６の処理を終了する。
【００３９】
ステップ６５において２枚目のメモリカード２２がセットされていると判定した場合には、ステップ６６へ進み、２枚目のメモリカード２２において、１枚目のメモリカード２２に記録されている楽曲データに対応付けられた歌詞データが存在するかどうかを判定する。この判定は、上述図５のステップ５７における対応付けの方法に応じて行うことができる。対応付けられた歌詞データが存在しないと判定した場合にはステップ６４へ進み、１枚目のメモリカード２２に記録されている楽曲データに基づいて楽曲の再生を行い、図６の処理を終了する。対応付けられた歌詞データが存在すると判定した場合にはステップ６７において、１枚目のメモリカード２２に記録されている楽曲データに基づいて楽曲の再生を行うとともに、２枚目のメモリカード２２に記録されている該楽曲データに対応付けられた歌詞データに基づいて歌詞を表示する。その後、図６の処理を終了する。
【００４０】
なお、歌詞の表示に際しては、歌詞データにおいて各フレーズ毎に定められた表示タイミングに基づき、楽曲の再生における各フレーズの再生タイミングに同期させて、各フレーズ毎に表示を行うことができる。
【００４１】
本実施形態によれば、ＣＤのリッピングに際して歌詞を同時に記録することができる。そして、楽曲データを記録したメモリカード２２に基づいて楽曲を再生する際に、その楽曲データに対応付けられた歌詞データが記録されたメモリカード２２を併せてセットすることにより、該楽曲データの歌詞を表示させることができる。したがってポータブルプレイヤ等においても、メモリカードスロットを複数有していれば、楽曲の再生と同時に歌詞を表示させることができる。
【００４２】
また、ＣＤのリッピングを行うときに、同時に歌詞データを取得し、記録することができる。その際、楽曲データを記録する１枚目のメモリカード２２と異なる２枚目のメモリカード２２に歌詞データを記録するようにしたため、楽曲データを記録するメモリカード２２と、歌詞データを記録するメモリカード２２とを分けて管理することができる。したがって楽曲データの記録に専ら使用するメモリカード２２においては歌詞データにより記憶容量を奪われることなく、より多くの楽曲データを記録することができる。
【００４３】
ただし、歌詞データを記録する場合、メモリカードスロット１４にセットしたメモリカード２２が１枚目のメモリカード２２とされてこれに楽曲データが記録され、メモリカードスロット１５にセットしたメモリカード２２が２枚目のメモリカード２２とされてこれに歌詞データが記録されるので、ユーザがどのメモリカード２２を１枚目とし、２枚目とするかを決定することができる。したがって、１つのメモリカード２２を１枚目及び２枚目の双方に使用した場合、楽曲データ及び歌詞データを１枚のメモリカード２２において混在させることも可能ではある。
【００４４】
また、メモリカードスロットを１つのみ備えた再生装置においては、楽曲データを記録したメモリカード２２のみを用いて楽曲の再生を行うことができる。再生装置がメモリカードスロットを２つ又は３以上有する場合でも、その再生装置又はその表示部が歌詞の表示に対応していない場合には、楽曲データを記録したメモリカード２２のみを用いて楽曲の再生を行うことができる。再生装置がメモリカードスロットを２つ以上備え、再生装置及びその表示部が、本実施形態における場合と同様に歌詞データに基づく歌詞の表示に対応している場合には、楽曲データを記録したメモリカード２２及び歌詞データを記録したメモリカード２２を用いて、楽曲の再生を行いながらその歌詞を表示することができる。
【００４５】
なお、本発明は上述実施形態に限定されることなく、適宜変形して実施することができる。たとえば、上述においては言及しなかったが、図５の処理において１枚目のメモリカード２２に楽曲データを記録する際に、そのメモリカード２２において歌詞データが記録されているかどうかを判定し、記録されている場合には、その旨を示すメッセージや音を出力し、注意を喚起することにより、楽曲データ及び歌詞データを混在させて記録するのを防止するようにしてもよい。歌詞データが記録されているかどうかの判定は、たとえば歌詞データのファイル形式を示す「．ＴＸＴ」の拡張子を有するファイルが存在するかどうかにより判定することができる。１枚目のメモリカード２２に歌詞データを記録する際に、そのメモリカード２２に楽曲データが記録されている場合にも同様に、注意を喚起するようにしてもよい。
【００４６】
また、上述においては、楽曲データベース２６へのアクセスは、インターネット２５を介して行うようにしているが、この代わりに、又はこれに加えて、楽曲データベースを記録再生装置内に設け、その楽曲データベースからメタデータを取得するができるようにしてもよい。
【００４７】
また、上述においては、メモリカードスロット１４及び１５の双方にメモリカード２２がセットされている場合、メモリカードスロット１４にセットされているメモリカード２２を１枚目のメモリカードとし、これに対して楽曲データの記録を行うとともに、メモリカードスロット１５にセットされているメモリカード２２を２枚目のメモリカードとし、これに対して歌詞データの記録を行うようにしているが、この代わりに、いずれのメモリカード２２に対して楽曲データを記録し、歌詞データを記録するかを、ユーザが指定することができるようにしてもよい。さらに、一度楽曲データが記録され、又は歌詞データが記録されたメモリカードは、その後、常に楽曲データの記録、又は歌詞データの記録にのみ使用されるようにして、楽曲データ及び歌詞データが１つのメモリカードに混在するのを防止するようにしてもよい。たとえば、「．ＴＸＴ」の拡張子を有するファイルが記録されているメモリカード２２にはその後も歌詞データのみが記録され、「．ＭＰ３」の拡張子を有するファイルが記録されているメモリカード２２にはその後も楽曲データのみが記録されるようにするために、これに反する指示が与えられた場合には、注意を喚起するメッセージを出力するようにしてもよい。
【００４８】
また、上述においては、楽曲データと歌詞データとの対応付けを、楽曲データが記録されるメモリカードにおいて、その楽曲データに対応する歌詞データが存在することを示すとともにその歌詞データを特定する情報を記録することにより行うようにしているが、この代わりに、逆に、歌詞データが記録されるメモリカードにおいて、その歌詞データに対応する楽曲データが存在することを示すとともにその楽曲データを特定する情報を記録することにより行うようにしてもよい。あるいは単に、楽曲データ及び対応する歌詞データのファイル名を、たとえば「ＡＡＡＡ−楽曲」及び「ＡＡＡＡ−歌詞」のように、共通部分「ＡＡＡＡ」及び楽曲データ又は歌詞データであることを示す部分「楽曲」又は「歌詞」を結合させたファイル名とすることにより、相互に対応付けるようにしてもよい。
【００４９】
また、上述においては、楽曲データ及び対応する歌詞データを１対１で対応付けるようにしている。すなわち、楽曲データが記録されたメモリカードと、歌詞データとは、該楽曲データと歌詞データとの対応付けを介して間接的に関連付けられている。かかる間接的な関連付けに限らず、楽曲データが記録されたメモリカードと、歌詞データとを直接的に関連付けるようにしてもよい。このような関連付けはたとえば、歌詞データのファイル名中に、対応する楽曲データが記録されるメモリカードのボリューム名を含めることにより行うことができる。この場合、第１のメモリカード及び、該第１のメモリカードのボリューム名をファイル名中に有する歌詞データが記録されている第２のメモリカードの双方が再生装置にセットされていれば、第１のメモリカードに記録されている楽曲データに基づく再生を行うと同時に、第２のメモリカード中の該歌詞データに基づく歌詞の表示を行うことができる。
【図面の簡単な説明】
【００５０】
【図１】本発明の一実施形態に係る記録再生装置の構成を示すブロック図である。
【図２】図１の装置においてリッピングを行うときの様子を示す図である。
【図３】図１の装置においてリッピングされた楽曲の再生を行うときの様子を示す図である。
【図４】図１の装置によりリッピングされた楽曲をポータブル再生装置により再生する様子を示す図である。
【図５】図１の装置におけるリッピング処理を示すフローチャートである。
【図６】図１の装置におけるメモリカードからの再生処理を示すフローチャートである。
【符号の説明】
【００５１】
１１：システムマイコン、１２：ＤＳＰ、１３：ＣＤメカ部、１４，１５，４４，４５：メモリカードスロット、１６：通信部、１７：ＤＡＣ、１８：増幅部、１９：出力部、２０：操作部、２１，４１：表示部、２２：メモリカード、２４：記録再生装置、２５：インターネット、２６：楽曲データベース、２７：歌詞データベース。
【図１】
2009276430.tif 000003
【図２】
2009276430.tif 000004
【図３】
2009276430.tif 000005
【図４】
2009276430.tif 000006
【図５】
2009276430.tif 000007
【図６】
2009276430.tif 000008